(57)【特許請求の範囲】
【請求項１】
速度計や回転速度計等の計器であって、円弧（ＡＣ）上に配置された半透明目盛りが設けられた壁部（２９）と、支持板（１３）に保持された１つ以上の発光素子（１６）と、目盛りのすべてを照明するために、発光素子（１６）が発した光を目盛り付き壁部（２９）の背面に向けて拡散するように支持板（１３）と目盛り付き壁部（２９）との間に挿入された導光部（１８）とを備え、導光部（１８）が円弧（ＡＣ）の中心を通る軸（ＡＸ）を中心に旋回するように取り付けられ、導光部（１８）の角度位置をサーボ制御する手段（１７）を備え、前記導光部（１８）とは異なる手段であって、目盛り付き壁部を保持する手段を備え、前記導光部（１８）が、目盛りを有する領域の一部を、前記目盛りを有する領域の裏側から強調表示するように円弧（ＡＣ）と同平面にて半径方向に位置するスポット照明部材（２８）を組み込み、
スポット照明部材（２８）の先端にＬＥＤ等の発光素子が設けられ、
支持板（１３）に保持される電源供給部材と前記スポット照明部材（２８）とに接続した電線を介して、スポット照明部材（２８）の発光素子に電源供給が行われる
ことを特徴とする計器。
【請求項２】
導光部（１８）が全体として回転対称形状であって、円弧（ＡＣ）の直径よりも小さい公称径を有し、また、先端の位置が公称径を超え、半径方向に延在するアーム（２７）が前記導光部（１８）に設けられ、スポット照明部材（２８）が前記アーム（２７）に保持されることを特徴とする請求項１に記載の計器。
【請求項３】
目盛りが配置された円弧（ＡＣ）に対向して位置する一端を有する導光部（１８）が、スポット照明部材（２８）に設けられることを特徴とする請求項１または２に記載の計器。
【発明の詳細な説明】
【技術分野】
【０００１】
本発明は、速度計や回転速度計等のバックライト照明された自動車計器であって、円弧上に配置された半透明目盛りが設けられた壁部と、前記目盛りのすべてを照明する手段と、目盛り付き領域の特定部分の強照明を行う手段、すなわち、前記部分を強調表示する手段とを有する自動車計器に関する。
【背景技術】
【０００２】
ＷＯ２００７０４２３２２に記載される上述のような車両計器を図１に示す。計器を符号１で示す。この計器は、発光素子を保持する支持板２を備え、本例の場合、発光素子は、前記支持板の中央領域の周囲に均一に分布する発光ダイオード（ＬＥＤ）３である。
【０００３】
前記支持板２は導光部４を保持するが、導光部４は全体として回転対称であり、円形の周縁部により画定される平面状の上面６を有し、図中矢印で示すように、発光素子が発した光を上面６に向けて拡散する。
【０００４】
図１では図示しないが、目盛りが設けられた壁部は、上面６に平行に延在するとともに上面に直接固定されている。
【０００５】
発光素子３と導光部４とで構成される構造体により、目盛り付き壁部の目盛りをバックライト照明することができる。目盛り付き壁部はプレキシグラス（登録商標）や類似する種類の半透明材料からなり、その上面が暗い色に塗装されている。目盛りは塗装されていない部分に対応するので、導光部により拡散した光が目盛り部分を通過することができる。
【０００６】
これら目盛りは導光部の上面６の半径よりも大きい半径を持つ円弧上に延在するが、導光部４により拡散した光が目盛り付き壁部を形成する半透明材料中に散乱することか、目盛りがこの光を出射する。
【０００７】
一般に、この計器は、目盛り付き壁部の正面に位置して旋回可能に取り付けられた針を有し、この針の先端は車両の速度に対応する目盛りの上に配置される。車両の速度は、バックライト照明された目盛りによって暗い所でも読み取ることができる。
【０００８】
また、この計器は、旋回可能に取り付けられた針から得られる情報とは異なる他の速度情報を運転者に示すために、目盛り付き領域の一部に強照明を行う手段を備えている。例えば、前記他の速度情報は、クルーズコントロール設定値であり、この値は、ブレーキやアクセルによってクルーズコントロールが解除されたときの実際の速度とは異なる場合がある。
【０００９】
このため、この計器はスポット照明部材７を備えている。スポット照明部材７は、中心軸ＡＸを中心に旋回するように取り付けられたアームからなり、針の旋回軸と導光部の回転対称軸とに一致する前記中心軸に対して半径方向に延在する。
【００１０】
より詳しくは、アーム７は、旋回可能に取り付けられた管状ハブ８に保持されている。また、アームは、壁部（図示せず）に向かって延在するとともに、前面を画定する円形周縁部の付近に位置する自由端９を有している。
【００１１】
図からわかるように、前記自由端９は、目盛り付き部分の比較的小さい点状の領域に強照明を行うように、符号１１で示す光を目盛り付き壁部に向けて拡散する。したがって、自由端９と軸ＡＸとの距離は、目盛りが位置する円弧の半径に対応している。
【００１２】
旋回可能に取り付けられたハブ８は、旋回可能な針を保持する旋回ピンを取り囲んでいる。このハブは、不透明材料で形成してもよいが、構造上、前記ハブが導光部と発光素子３を保持する支持板２との間に挿入されていることから、発光素子が発した光を導光部４へ容易に通過させるために透明材料で形成してもよい。
【００１３】
針（図示せず）と旋回可能な照明部材は移動し、これらの位置は支持板２の背面に固定されたモータ部１２によってサーボ制御される。
【発明の概要】
【発明が解決しようとする課題】
【００１４】
本発明の目的は、このような計器の製造コストを低減するための手法を提案することである。
【課題を解決するための手段】
【００１５】
このため、本発明は、速度計や回転速度計等の計器であって、円弧上に配置された半透明目盛りが設けられた壁部と、支持板に保持された１つ以上の発光素子と、目盛りのすべてを照明するために、発光素子が発した光を目盛り付き壁部の背面に向けて拡散するように支持板と目盛り付き壁部との間に挿入された導光部とを備える計器を提供する。前記計器は、導光部が円弧の中心を通る軸を中心に旋回するように取り付けられることを特徴とする。また、前記計器は、導光部の角度位置をサーボ制御する手段を備えることを特徴とする。また、前記計器は、前記導光部とは異なる手段であって、目盛り付き壁部を保持する手段を備えることを特徴とする。また、前記計器は、前記導光部が、目盛りを有する領域の一部を強調表示するように円弧と同平面にて半径方向に位置するスポット照明部材を組み込むことを特徴とする。
【００１６】
この手法では、スポット照明部材が導光部とは異なる追加手段により保持されるのではなく、旋回可能に取り付けられた導光部によって直接保持されることから、計器の部品数が少なくなる。
【００１７】
また、本発明は、スポット照明部材の先端にＬＥＤ等の発光素子が設けられる上述の計器を提供する。
【００１８】
また、本発明は、支持板に保持される電源供給部材と前記スポット照明部材とに接続した電線を介して、スポット照明部材の発光素子に電源供給が行われる上述の計器を提供する。
【００１９】
また、本発明は、導光部が全体として回転対称形状であって、円弧の直径よりも小さい公称径を有し、また、先端の位置が公称径を超え、半径方向に延在するアームが前記導光部に設けられ、スポット照明部材が前記アームに保持される上述の計器を提供する。
【００２０】
また、本発明は、目盛りが配置された円弧に対向して位置する一端を有する導光部が、スポット照明部材に設けられる上述の計器を提供する。
【図面の簡単な説明】
【００２１】
【図１】従来技術の計器の側面図である。
【図２】本発明の計器の各構成部を示す斜視図である。
【図３】本発明の計器の構成部の側断面である。
【図４】本発明の計器の構成素子の平面図である。
【図５】目盛り付き壁部の前面を示す計器の平面図である。
【発明を実施するための形態】
【００２２】
本発明の基本概念は、スポット照明素子と導光部とを、旋回可能に取り付けられた共通素子に統合し、導光部とは異なる手段により目盛り付き壁部を保持することである。
【００２３】
図２からわかるように、本発明の計器は、上面または前面１４を有する支持板１３を備えている。上面または前面１４には、１２個の発光素子１６からなる発光素子群が取り付けられ、前面１４に対して直角の中心軸ＡＸを中心に円形に配置されている。
【００２４】
本例において、前記素子１６は基部１７を取り囲むＬＥＤであり、基部１７自体は支持板１３に保持されている。符号１８で示す導光部は、全体として軸ＡＸを中心とした回転対称である。
【００２５】
この導光部は、平面状の上面１９と、回転対称の底面２１とにより画定される半透明材料で形成されている。底面２１は、全体として凸状であり、中央領域に中央脚部２３を形成している円柱部に続く凸状部２２を有している。底面と上面とがぶつかる接合部は、上面１９を画定する円形の平面周縁部２４にほぼ対応している。
【００２６】
さらに、この導光部１８には軸ＡＸに沿って延在する中央開口部２６が設けられる。この開口部２６は、一端が上面１９にて開口し、他端が脚部２３の下端で開口している。前記脚部は一般に管状である。
【００２７】
図２および図３からわかるように、管状脚部２３は、前記基部に支持されるとともに軸ＡＸを中心に旋回可能となるように基部１７の管状上部２０に係合している。
【００２８】
また、この計器には図５に示す針２５が搭載されている。針２５は開口部２６を通る中央ピンに保持されるとともに、軸ＡＸの方向に沿って延在する。基部１７にはモータ駆動手段（図示せず）が設けられ、これにより、針２５と導光部１８をそれぞれ独立した所望の角度位置に配置することができる。
【００２９】
図示のように、導光部１８はラジアルアーム２７を有している。アーム２７は、周縁部２４に近い領域における底面２１から、周縁部２４を超えて軸ＡＸに対して半径方向に延在し、上面１９の平面の下に位置する。
【００３０】
前記アーム２７は、目盛り付き領域３０の一部を照明するように目盛り付き壁部２９に向けて光を発するスポット照明部材２８を保持している。実際、本例では前記スポット照明部材２８はＬＥＤで構成されるが、ある目盛りの強照明を行うように目盛り付き壁部２９の裏側にスポット光を発する。
【００３１】
図示の例では、ＬＥＤからなるスポット照明部材２８は、ワイヤ（図示せず）を介して電源供給を受ける。各ワイヤは、一端が部材２８に接続され、他端が支持板１３の前面１４に保持される電源供給素子に接続される。
【００３２】
これらワイヤは、導光部１８と照明部材２８が約３／４回転の振幅で旋回することができるような長さと可撓性を有している。計器の下部、ずなわち、目盛り付き壁部２９の下部には一般に目盛りもなく、バックライト照明もない。
【００３３】
目盛り付き壁部２９については、図４に示す表板３１よって保持され、周縁部２４の直径よりも大きい直径を有する中央開口部３２が設けられてもよい。
【００３４】
前記表板３１は、中間脚部（図示せず）によって支持板１３に保持されるとともに、前記支持板に平行に延在し、また、導光部１８の上面１９の平面よりやや上に位置していると有利である。このように、この構造体を図４に示すように上から見たとき、中央開口部３２は、目盛り付き壁部の目盛りに対向して位置する円形スロット３３を画定し、導光部１８が回転したときにスポット照明部材２８が動くように、導光部１８の周縁部２４を取り囲んでいる。
【００３５】
目盛り付き壁部２９を表板３１に接着剤で直接接着し、円弧ＡＣ上に延在する領域３０に目盛りが位置してもよい。前記領域３０はスロット３３に対応している。図４からわかるように、前記領域３０は、内径が周縁部２４の直径にほぼ対応し、外径が開口部３２の直径にほぼ対応する円環部である。
【００３６】
したがって、導光部１８の角度位置で定められる目盛り付き領域３０の一部を、スポット照明部材２８により照明することができる。図４および図５の構成では、導光部１８の角度位置によって、目盛り付き領域３０のマーク「２０」を強調表示するように、前記マークに対向する追加照明部材の位置を特定する。
【図１】
0005401547.tif 000002
【図２】
0005401547.tif 000003
【図３】
0005401547.tif 000004
【図４】
0005401547.tif 000005
【図５】
0005401547.tif 000006